(57)【特許請求の範囲】
【請求項１】
人が乗るための橋架部と、この橋架部に乗り移るためのステップ部とを備えた浮き台と、この浮き台を連結する連結基台と、この連結基台に取り付けられる取付部を有した遊戯補助具とからなるプール用遊戯具の連結基台において、
この連結基台を、前記浮き台に対するそれぞれの取付けを行う取付部と、この取付部に一体化されて、前記遊戯補助具の取付部を連結するための連結部とを備えたものとしたことを特徴とするプール用遊戯具における連結基台。
【請求項２】
浮き台と、この浮き台を連結する連結基台と、この連結基台に取り付けられる取付部を有した遊戯補助具とからなるプール用遊戯具の連結基台において、
この連結基台を、各浮き台に対するそれぞれの取付けを行い、パイプ材からなる取付部と、この取付部に一体化されて、前記遊戯補助具の取付部が差し込まれる連結部とを備えたものとしたことを特徴とするプール用遊戯具における連結基台。
【請求項３】
前記浮き台は、一対であることを特徴とする請求項１または請求項２に記載のプール用遊戯具における連結基台。
【請求項４】
前記連結基台に設けた各連結部を、その端部に螺着されてナット頭部を有するボルトと、このボルトに挿通されてナット頭部によって抜け止めされるワッシャーとにより構成したことを特徴とする請求項１〜３のいずれかに記載のプール用遊戯具における連結基台。
【請求項５】
前記ワッシャーの穴が前記ボルトより大きく、かつワッシャーの最大部分の大きさが、前記遊戯補助具の取付部の内径以下であることを特徴とする請求項４に記載のプール用遊戯具における連結基台。
【発明の詳細な説明】
【０００１】
【発明の属する技術分野】
本発明は、運梯や外向き平行棒等の遊戯補助具をプールの水面上に浮かせて、これらの遊戯補助具による遊戯を行えるようにしたプール用遊戯具における連結基台に関するものである。
【０００２】
【従来の技術】
プールは、泳ぐためだけではなく、種々な遊びや鍛錬をするためにも使用されている。そこで、出願人は、特願平１１−３５１９４８号において、図１０にも示すように、プール２００内に浮かべて使用するプール用遊戯具（アスレチック貝）１００、及びこれを浮かすための浮き台１０を提案してきている。このようなプール用遊戯具１００やそのための浮き台１０は、非常に人気が高く、使用者やプール営業者に非常に喜ばれているものとなってきている。
【０００３】
そして、この図１０に示したようなプール用遊戯具１００において、さらに種々な遊戯や練習ができるようにならないか、ということが要望されてきており、本発明者等もその検討に入ったのである。この本発明者等の検討によると、次のような点を改良する必要があることが分かった。
【０００４】
（１）異なる遊戯や練習が行えるようにするには、浮き台１０やその他の基本部分は変更しないで、人が乗ったり掴んだりする部分（本発明では、遊戯補助具ということとする）のみを変更できるようにすればよいこと。
（２）遊戯補助具を交換して異なる遊戯や練習が行えるようにする場合には、浮き台１０やその他の基本部分は、できればプール２００土に浮かべたままにしておいて、遊戯補助具の交換作業を水中で行えるようにすること。
（３）水中での遊戯補助具の交換作業は、なるべく簡単に行えるようにすること。
（４）プール用遊戯具は、主に裸の子供が使用するものであるため、肌に触れても傷を生じさせないようにすること。
【０００５】
そこで、本発明者等は、以上のような点を改良するにはどうしたらよいか、について種々検討を重ねてきた結果、本発明を完成したのである。
【０００６】
【発明が解決しようとする課題】
本発明は、この種のプール用遊戯具についての上記経緯に基づいてなされたもので、その解決しようとする課題は、遊戯補助具の交換が行え、しかもその作業を簡単にすることである。
【０００７】
【課題を解決するための手段】
以上の課題を解決するために、まず、請求項１に係る発明の採った手段は、後述する実施の形態の説明中において使用する符号を付して説明すると、
「人が乗るための橋架部と、この橋架部に乗り移るためのステップ部とを備えた浮き台１０と、この浮き台１０を連結する連結基台２０と、この連結基台２０に取り付けられる取付部３１を有した遊戯補助具３０とからなるプール用遊戯具１００の連結基台２０において、
この連結基台２０を、浮き台１０に対するそれぞれの取付けを行う取付部２１と、この取付部２１に一体化されて、遊戯補助具３０の取付部３１を連結するための連結部２３とを備えたものとしたことを特徴とするプール用遊戯具１００における連結基台２０」
である。
【０００８】
すなわち、この請求項１に係る連結基台２０は、浮き台１０に取付けられる取付部２１と、この取付部２１に一体化されて、遊戯補助具３０の取付部３１を連結するための連結部２３とを備えたものである。
【０００９】
以上の課題を解決するために、請求項２に係る発明の採った手段は、同様に、
「浮き台１０と、この浮き台１０を連結する連結基台２０と、この連結基台２０に取り付けられる取付部３１を有した遊戯補助具３０とからなるプール用遊戯具１００の連結基台２０において、
この連結基台２０を、各浮き台１０に対するそれぞれの取付けを行い、パイプ材からなる取付部２１と、この取付部２１に一体化されて、遊戯補助具３０の取付部３１が差し込まれる連結部２３とを備えたものとしたことを特徴とするプール用遊戯具１００における連結基台２０」
である。
【００１０】
すなわち、この請求項２に係る連結基台２０は、丸や角等のパイプ材を使用して構成したものであって、浮き台１０の取付部に上方から嵌合して取り付けられるパイプ材からなる取付部２１を備えており、遊戯補助具３０の取付部３１を、後述する連結部２３の端部に差し込むことができるようにしている。
【００１１】
以上の課題を解決するために、請求項３に係る発明の採った手段は、上記請求項１または請求項２に係る連結基台２０について、
「浮き台１０は、一対であること」
としたものである。
【００１２】
すなわち、この請求項３に係る連結基台２０は、図１及び図２に示すようなものであって、各浮き台１０に対するそれぞれの取付けを行う取付部２１と、これら各取付部２１間を連結する連結杵２２と、この連結杵２２に一体化されて、遊戯補助具３０の取付部３１を連結するための連結部２３とを備えたものである。
【００１３】
これらの請求項１〜３の連結基台２０は、図１〜図５に示すように、その連結杵２２の両端に取付部２１が形成してあるから、これら各取付部２１によって各浮き台１０に対する取付が行えるのであり、両浮き台１０の浮力によって当該連結基台２０及びこれに連結される後述の各遊戯補助具３０のプール２００上での使用を可能にするのである。
【００１４】
そして、この連結基台２０は、その各連結部２３によって、図３〜図５に示すように、運梯である遊戯補助具３０や、外向き平行棒である遊戯補助具３０の取付部３１を自在に脱着できるようにしたものである。勿論、これらの遊戯補助具３０は、その必要とされる遊戯や鍛錬のためのものに自由に交換できるものであり、その交換作業は、各連結部２３に対する遊戯補助具３０側の取付部３１の脱着を行えばよいものとなっている。
【００１５】
従って、これら請求項１〜請求項３の連結基台２０は、その各連結部２３によって遊戯補助具３０側の取付部３１の脱着を自在に行うことができるから、遊戯補助具３０の交換を行えるだけでなく、その作業を簡単に行えるものとなっているのである。特に、請求項２の連結基台２０は、パイプ材からなるものであるから、遊戯補助具３０の取付部３１を、連結部２３の端部に差し込むという簡単な操作で着脱作業が簡単に行うことができ、請求項３の連結基台２０は、浮き台１０が一対であることから連結基台２０が安定する。
【００１６】
また、上記課題を解決するために、請求項４に係る発明の採った手段は、上記請求項１〜３のいずれかに係る連結基台２０について、
「連結基台２０に設けた各連結部２３を、その端部に螺着されてナット頭部２３ｂを有するボルト２３ａと、このボルト２３ａに挿通されてナット頭部２３ｂによって抜け止めされるワッシャー２３ｃとにより構成したこと」
である。
【００１７】
すなわち、この請求項４の連結基台２０では、図６及び図７に示すように、その各連結部２３を、その端部に螺着されてナット頭部２３ｂを有するボルト２３ａと、このボルト２３ａに挿通されてナット頭部２３ｂによって抜け止めされるワッシャー２３ｃとにより構成したものであり、これにより、これに対する遊戯補助具３０側の取付部３１の脱着作業を、次のようにより一層簡単かつ確実に行えるものとなっているのである。
【００１８】
まず、一本の連結部２３に対して、遊戯補助具３０側の一つの取付部３１を連結した状態を、図６及び図７を参照して説明すると、連結部２３に挿通した遊戯補助具３０側の取付部３１の端面（図６では図示右端面）において、ボルト２３ａの連結部２３端部に対する螺着がなされている。このとき、長穴２３ｄにてボルト２３ａに挿通してあるワッシャー２３ｃの下端は、図６及び図７に示すように、取付部３１の下端面から少し下方に出ている。そして、このワッシャー２３ｃは、連結部２３の端部（具体的には、この連結部２３の端部に固定してある螺着部材２４の端面）と、ボルト２３ａと一体的なナット頭部２３ｂの内面との間に挟まれているから、遊戯補助具３０側の取付部３１が、連結部２３から抜けることはない。つまり、取付部３１は、連結部２３にしっかりと連結されているのである。
【００１９】
さて、この取付部３１を連結部２３から外すには、外に出ているナット頭部２３ｂを、レンチあるいはスパナによって回転させて、ボルト２３ａをワッシャー２３ｃとともに外せばよい。そうすれば、取付部３１の端部を止めておくものがなくなるから、取付部３１を連結部２３から引き抜けば、遊戯補助具３０の取り外しが行え、別の遊戯補助具３０と交換することができることは、当然である。
【００２０】
さらに、上記課題を解決するために、請求項５に係る発明の採った手段は、上記請求項４に係る連結基台２０について、
「ワッシャー２３ｃの穴がボルト２３ａより大きく、かつワッシャー２３ｃの最大部分の大きさが、遊戯補助具３０の取付部３１の内径以下であること」
である。
【００２１】
すなわち、この請求項５に係る連結基台２０では、その連結部２３の端部にボルト２３ａやワッシャー２３ｃが設けであることは、上記請求項４のそれと同様であるが、ワッシャー２３ｃの穴（実施形態では長穴２３ｄ）がボルト２３ａより大きく、かつワッシャー２３ｃの最大部分の大きさを、遊戯補助具３０の取付部３１の内径以下としたことが特徴となっているのである。
【００２２】
この連結基台２０において、その連結部２３に対する取付部３１の固定状態は、上述した請求項４の場合と同様であり、図６及び図７に示した通りであるが、その取り付け、及び取り外し等の作業がさらに簡単になっているものである。つまり、ボルト２３ａを完全に外さなくても、連結部２３に対する取付部３１の交換が行えるものとなっているのである。
【００２３】
連結部２３に対する取付部３１の交換作業を行うにあたっては、この請求項５の連結基台２０では、そのワッシャー２３ｃの最大部分の大きさが、取付部３１の内径以下であるから、図８及び図９に示すようにすればよい。つまり、連結部２３に遊戯補助具３０側の取付部３１を挿通する場合も、連結部２３から遊戯補助具３０側の取付部３１を抜き出す場合も、ワッシャー２３ｃが図９に示すように、取付部３１の内径内に入るようにしておけば、連結部２３に対する取付部３１の挿通も引き抜きも自在に行えるのである。
【００２４】
具体的には、スパナ等を利用してボルト２３ａの螺着部材２４に対する螺着を少し緩めれば、ワッシャー２３ｃは、そのボルト２３ａの直径より大きい穴（長穴２３ｄ）の存在によって上下に自在に動き得るものとなる。そこで、例えば親指と人差し指とをワッシャー２３ｃの上下両端に当てて、このワッシャー２３ｃが、図９に示したように、連結部２３の端部内に入るように移動させる。その後、ナット頭部２３ｂを軽く締めて、ワッシャー２３ｃが連結部２３の端部に対して動かないようにしておけば、図８に示した取付部３１の連結部２３に対する挿通や引き抜きが、何の障害もなく簡単に行えるのである。
【００２５】
なお、このワッシャー２３ｃの穴は、実施形態に示したような長穴２３ｄに限らず、ボルト２３ａの直径より大きければ、真円であってもよいし、他の形状のものであってもよいものである。勿論、このワッシャー２３ｃの外形についても、図７に示したような長円であってもよいし、楕円や真円、あるいはその他の形状のものであってもよいものである。
【００２６】
このときに重要なことは、ワッシャー２３ｃやボルト２３ａは連結部２３の端部に止めたままとしておけることである。これらのボルト２３ａやワッシャー２３ｃは、比較的小さなものであり、これらをその脱着作業中においてプール２００内に落としたとすると、これを水中に潜って取り出さなければならないことになるが、この請求項５の連結基台２０では、ワッシャー２３ｃやボルト２３ａを連結部２３の端部に止めたままとしておけるため、そのような問題が生ずることはないのである。
【００２７】
【発明の実施の形態】
次に、上記のように構成した各請求項に係る発明を、図面に示した実施の形態であるプール用遊戯具１００について説明するが、この実施形態のプール用遊戯具１００は、上記の各発明を実質的に含むものであるため、以下では、この実施形態に係るプール用遊戯具１００を中心に説明していくこととする。
【００２８】
図１及び図２には、本発明に係る連結基台２０を含むが、未だ遊戯補助具３０が取り付けてない状態のプール用遊戯具１００の平面図及び正面図が示してある。このプール用遊戯具１００は、これを構成している連結基台２０の各連結部２３に、図３に示した運梯である遊戯補助具３０を取付け、図４に示した外向き平行棒である遊戯補助具３０を取り付けるとともに、全体の浮力を発生するための一対の浮き台１０に、連結基台２０の各取付部２１を取り付けることによって、図５に示したようなものとして完成されるものである。
【００２９】
各浮き台１０は、図１等に示したように、人が乗るための橋架部と、この橋架部の左右両側に一体化したフロート部と、橋架部の少なくとも手前側に一体化されて、橋架部に乗り移るためのステップ部とを備えたものである。また、各フロート部の前後には、連結基台２０側の取付部２１を取付けるための取付部が形成してあるものである。そして、これら各浮き台１０は、その全体を発泡ポリエチレンにより一体成形するとともに、表面を繊維強化性プラスチックによって被覆したものである。勿論、この繊維強化性プラスチックの継目については、防水シールによってシールしてある。
【００３０】
これら各浮き台の大きさは、図１の縦方向が１．６メートル前後で、図１の横方向の最大が約０．７５メートルであり、かつ図２の最大高さは約０．３０メートルである。また、各浮き台１０の全体の重量は、約１５キログラムであるが、水に対する浮力は１５０キログラム程度のものとなっている。
【００３１】
連結基台２０は、丸や角等のパイプ材を使用して構成したものであり、左右に上記名浮き台１０の取付部に上方から嵌合して取り付けられる取付部２１と、これら両取付部２１を連結する一本の連結杵２２と、この連結杵２２に水平状に溶着した複数の連結部２３とを備えたものである。なお、各取付部２１の外端には、図２及び図５に示したような梯子２５が取り付けてあり、これらの梯子２５は、各浮き台１０上に昇るためのものである。
【００３２】
各連結部２３の端部には、図６〜図９に示したように、中心（ナット頭部２３ｂが異形のものである場合には執心からズラせた部分）にネジ穴２４ａを有する螺着部材２４が固着してあり、この螺着部材２４のネジ穴２４ａにはボルト２３ａが螺着されるものである。ボルト２３ａは、特に図６及び図８に示したように、その外端にナット頭部２３ｂを一体化したものであり、螺着部材２４のネジ穴２４ａに螺着するときには、図７及び図９に示したようなワッシャー２３ｃを挿通しておくものである。
【００３３】
ワッシャー２３ｃは、図７及び図９に示したような長穴２３ｄを有するものであり、この長穴２３ｄによってボルト２３ａに対して自在に動き得るものとなっている。つまり、このワッシャー２３ｃは、完全に自由になった場合には、図７に示したように、その下端が連結部２３の下端面から下側になるようになるものであり、また指等で持ち上げれば、図９に示したように、連結部２３の端面内に完全に入ってしまえるものである。
【００３４】
一方、遊戯補助具３０については、上述したようなものに限らず種々なものが考えられるものであるが、少なくともその一部には、図６及び図８に示すような取付部３１を有しているものである。この取付部３１は、連結部２３の端部に差し込むものであるから、筒状のものとして形成してあり、当然に、その内径は連結部２３側の外径より大きくしてある。勿論、この取付部３１については、連結部２３に差し込まれるべき口と、ワッシャー２３ｃが当接し得る端面とを有していれば、例えば図６に示したような形状のものとする必要性はない。
【００３５】
【発明の効果】
以上、上述した通り、本発明においては、上記実施形態にて例示した如く、その基本構成を、
「人が乗るための橋架部と、この橋架部に乗り移るためのステップ部とを備えた浮き台１０と、この浮き台１０を連結する連結基台２０と、この連結基台２０に取り付けられる取付部３１を有した遊戯補助具３０とからなるプール用遊戯具１００の連結基台２０において、
この連結基台２０を、浮き台１０に対するそれぞれの取付けを行う取付部２１と、この取付部２１に一体化されて、遊戯補助具３０の取付部３１を連結するための連結部２３とを備えたものとしたこと」
としたことにその特徴があり、これにより、遊戯補助具３０の交換が行え、しかもその作業を簡単に行うことのできる連結基台２０を提供することができるのである。
【図面の簡単な説明】
【図１】本発明に係る連結基台を使用したプール用遊戯具の平面図である。
【図２】同プール用遊戯具の正面図である。
【図３】運梯である遊戯補助具を連結基台に連結したプール用遊戯具の正面図である。
【図４】外向き平行棒である遊戯補助具を連結基台に連結したプール用遊戯具の平面図である。
【図５】同プール用遊戯具の拡大右側面図である。
【図６】連結基台の１つの連結部に遊戯補助具側の取付部を連結した状態を示す部分拡大側面図である。
【図７】図６の１−１線に沿ってみた部分拡大断面図である。
【図８】連結基台の一つの連結部から遊戯補助具側の取付部を外そうとしている状態を示す部分破断拡大側面図である。
【図９】図８における連結部とワッシャーとの位置関係を示す部分拡大断面図である。
【図１０】従来のプール用遊戯具を説明するための斜視図である。
【符号の説明】
１００  プール用遊戯具
１０    浮き台
２０    連結基台
２１    取付部
２２    連結杵
２３    連結部
２３ａ  ボルト
２３ｂ  ナット頭部
２３ｃ  ワッシャー
２３ｄ  長穴
２４    螺着部材
２４ａ  ネジ穴
２５    梯子
３０    遊戯補助具
３１    取付部
２００ プール
【図１】
0004751515.tif 000002
【図２】
0004751515.tif 000003
【図３】
0004751515.tif 000004
【図４】
0004751515.tif 000005
【図５】
0004751515.tif 000006
【図６】
0004751515.tif 000007
【図７】
0004751515.tif 000008
【図８】
0004751515.tif 000009
【図９】
0004751515.tif 000010
【図１０】
0004751515.tif 000011